(57)【要約】      （修正有）【課題】固定式の記憶装置からオーディオ・ビジュアル情報の開始部分を再生させ、記憶媒体から上記オーディオ・ビジュアル情報の残り部分を連続して再生させるオーディオ・ビジュアル情報再生装置において、使用者が意図していない番組の再生を防止する。【解決手段】複数の記憶媒体（ＭＯ）に格納されているオーディオ・ビジュアル情報の開始部分（Ｍ（ｎａ））と共に該オーディオ・ビジュアル情報の番組名を含む管理情報（Ｉ（ｎ））を、固定式の記憶装置に予め複写して格納しておき、固定式の記憶装置から再生されたオーディオ・ビジュアル情報の開始部分の管理情報の番組名と、データベース内の再生指示されたオーディオ・ビジュアル情報の番組名とを照合し（Ｓ１２）、一致しない場合にはオーディオ・ビジュアル情報の再生を中止する（Ｓ１６）。【選択図】図８
2010061783.tif 000002
【特許請求の範囲】
【請求項１】
長時間のオーディオ・ビジュアル情報を予め複数の記憶媒体に分割して格納し、該記憶媒体を交換することにより前記オーディオ・ビジュアル情報を長時間再生する大容量記憶装置と、
前記複数の各記憶媒体に格納された前記オーディオ・ビジュアル情報の各開始部分を予め複写して格納する固定式の記憶装置と、
前記固定式の記憶装置から再生される前記オーディオ・ビジュアル情報の開始部分に前記大容量記憶装置から再生される前記オーディオ・ビジュアル情報の残り部分を連続させることにより一連のオーディオ・ビジュアル情報として記憶するバッファメモリからなる一時記憶装置と、
前記オーディオ・ビジュアル情報の番組名を含むデータベースを記憶する記憶部を有し、前記各装置の動作を制御することにより再生指示された前記長時間のオーディオ・ビジュアル情報信号を間断無く再生する制御装置と、
前記データデータベース内の少なくとも１個の番組名を入力することにより該番組の再生指示を発生させると共に、前記一連のオーディオ・ビジュアル情報を画像出力する入出力端末装置と
を備えるオーディオ・ビジュアル情報再生装置において、
前記固定式の記憶装置には、前記複数の各記憶媒体に格納されている前記オーディオ・ビジュアル情報の各開始部分と共に該オーディオ・ビジュアル情報の番組名を含む管理情報が予め複写して格納されており、
前記制御装置は、前記固定式の記憶装置から再生された前記オーディオ・ビジュアル情報の開始部分の管理情報の番組名と、前記データベース内の前記再生指示されたオーディオ・ビジュアル情報の番組名とを照合し、一致しない場合に前記一連のオーディオ・ビジュアル情報の再生を中止する
ことを特徴とするオーディオ・ビジュアル情報再生装置。
【請求項２】
長時間のオーディオ・ビジュアル情報を予め分割して複数の記憶媒体に該オーディオ・ビジュアル情報に関する番組情報と対応させて記憶させておくと共に、前記複数の各記憶媒体に格納されたオーディオ・ビジュアル情報の各開始部分を予め固定式の記憶装置に複写して格納しておき、
前記オーディオ・ビジュアル情報の番組名を含むデータベースを記憶部に記憶しておき、
入出力端末装置により前記データデータベース内の少なくとも１個の番組名を入力することにより該番組の再生指示が発生された場合に、前記固定式の記憶装置から再生される前記オーディオ・ビジュアル情報の各開始部分に、前記記憶媒体から再生される前記オーディオ・ビジュアル情報の残り部分を連続させることにより一連のオーディオ・ビジュアル情報として前記入出力端末装置にて長時間再生するオーディオ・ビジュアル情報再生方法において、
前記複数の各記憶媒体に格納されている前記オーディオ・ビジュアル情報の各開始部分と共に該オーディオ・ビジュアル情報の番組名を含む管理情報を、前記固定式の記憶装置に予め複写して格納しておくステップと、
前記固定式の記憶装置から再生された前記オーディオ・ビジュアル情報の開始部分の管理情報の番組名と、前記データベース内の前記再生指示されたオーディオ・ビジュアル情報の番組名とを照合するステップと、
一致しない場合には前記一連のオーディオ・ビジュアル情報の再生を中止するステップを有することを特徴とするオーディオ・ビジュアル情報再生方法。
【発明の詳細な説明】
【技術分野】
【０００１】
本発明は、複数の光磁気ディスク装置等の記憶媒体を交換しながら再生する大容量記憶装置等にオーディオ・ビジュアル情報を蓄積しておき、使用者からのリクエストにより記憶媒体に格納したオーディオ・ビジュアル情報を提供するシステムの管理センタなどにおけるオーディオ・ビジュアル情報の再生装置および再生方法に関し、特に、大容量記憶装置等とは別にハードディスク装置等の固定式の記憶装置に各記憶媒体に記憶させたオーディオ・ビジュアル情報の各開始部分を複写しておき、再生時には固定式の記憶装置に記憶された各開始部分を先に再生して記憶媒体の交換時間中も再生を中断しないようにしたオーディオ・ビジュアル情報の再生装置および再生方法に関する。
【背景技術】
【０００２】
従来のオーディオ・ビジュアル情報再生装置としては、記憶媒体として光磁気（マグネトオプティカル：ＭＯ、以下、ＭＯと記載する）ディスクを使用した大容量記憶装置（ＭＡＳＳ・ＳＴＯＲＡＧＥ・ＳＹＳＴＥＭ＝ジュークボックス形式にて複数の光磁気ディスク装置を交換しながら情報再生する装置、以下、ＭＳＳと記載する）を使用したものがある。
【０００３】
従来のＭＳＳを使用したオーディオ・ビジュアル情報再生装置では、長時間のオーディオ・ビジュアル情報等を途切れることなく再生して使用者に提供するために、予め各記憶媒体に格納された開始部分のオーディオ・ビジュアル情報を各々ハードディスク等の固定式の記憶装置である磁気ディスク装置に複写して格納しておき、光磁気ディスクを交換する時には、これから再生しようとする光磁気ディスクに対応する磁気ディスク装置中のオーディオ・ビジュアル情報の開始部分を先に再生しておき、記憶媒体の交換が終了したら記憶媒体から再生するオーディオ・ビジュアル情報の残りの部分につなぐことにより一連の番組として連続してオーディオ・ビジュアル情報を再生できるようになっている。
【０００４】
また、従来のＭＳＳを使用したオーディオ・ビジュアル情報再生装置では、使用者からのリクエストに対する応答を早めるために、予め１枚目の各記憶媒体に格納された開始部分のオーディオ・ビジュアル情報を各々磁気ディスク装置に複写して格納しておき、最初の光磁気ディスクを再生させる時に、これから再生しようとする光磁気ディスクに対応する磁気ディスク装置中のオーディオ・ビジュアル情報の開始部分を先に再生しておき、記憶媒体の設置が終了したら記憶媒体から再生するオーディオ・ビジュアル情報の残りの部分につなぐことにより、リクエストに対する反応を早くしてオーディオ・ビジュアル情報を再生できるようになっている。
【０００５】
このようにオーディオ・ビジュアル情報再生装置は、ＭＳＳの各記憶媒体に格納されたオーディオ・ビジュアル情報の開始部分を磁気ディスク装置に複写して格納しておくことにより、使用者からのリクエストに対してすばやく、且つ、記憶媒体の交換時にも再生を途切れさせること無く、長時間のオーディオ・ビジュアル情報を使用者に提供することができる。
【０００６】
図９は、従来のオーディオ・ビジュアル情報再生装置の記憶媒体交換時における再生動作を示すフローチャートである。なお、以下の説明では、使用者からリクエストされたオーディオ・ビジュアル情報の番組名を番組ＡＢＣとし、これから再生される光磁気ディスク等の記憶媒体を順にＭＯ（ｎ）とし、ＭＯ（ｎ）に記録されているオーディオ・ビジュアル（ＡＶ）情報データをＭ（ｎ）とし、Ｍ（ｎ）中の開始部分データをＭ（ｎａ）とし、Ｍ（ｎ）中の残り部分データをＭ（ｎｂ）とし、磁気ディスク装置にＭ（ｎａ）が複写されて格納されたデータをＨ（ｎ）とする。但し、ｎは正の整数である。
【０００７】
また、予め各ＭＯ（ｎ）の開始部分データＭ（ｎａ）が磁気ディスク装置にＨ（ｎ）として複写されていることとし、オーディオ・ビジュアル情報再生装置の制御部には、例えば、番組ＡＢＣに対応する各記憶媒体の格納位置および磁気ディスク装置中の各Ｈ（ｎ）のアドレス位置等の番組名と各格納場所の関係が一覧表形式のデータベースに記憶されていることとする。
【０００８】
使用者により番組ＡＢＣの再生指示が入力されてオーディオ・ビジュアル情報再生装置に受け付けられると、ＭＳＳ内では、番組ＡＢＣの最初の記憶媒体であるＭＯ（１）が収納された格納庫から取り出されて、再生装置であるドライブへのセットが開始される（ステップＳ２１）。一方、ＭＳＳ内では、前記再生指示が受け付けられると、ステップＳ２１の処理と平行処理としてＭＯ（１）のオーディオ・ビジュアル情報データの開始部分であるＭ（１ａ）に対応するＨ（１）が磁気ディスク装置から先に再生される（ステップＳ２２）。
【０００９】
ＭＯ（１）のセットが終了すると（ステップＳ２３）、オーディオ・ビジュアル情報データの開始部分であるＭ（１ａ）の残り部分であるＭ（１ｂ）が再生され（ステップＳ２４）、Ｈ（１）に続けて出力される。
【００１０】
また、上記した従来のオーディオ・ビジュアル情報再生装置は、例えば、特許文献１に記載されている。
【先行技術文献】
【特許文献】
【００１１】
【特許文献１】特開平０８−０９８１２２号公報
【発明の概要】
【発明が解決しようとする課題】
【００１２】
しかしながら、上記した従来のオーディオ・ビジュアル情報再生装置は、各記憶媒体の開始部分データＭ（ｎａ）に対応する磁気ディスクのデータＨ（ｎ）と残り部分データＭ（ｎｂ）とが交互に再生されるため、磁気ディスク装置への複写ミスやデータベースの作成ミスあるいはノイズや停電等によるデータベースの破壊等の原因によりデータベースに格納されたＭＯの格納位置データと磁気ディスク装置に格納された複写データのアドレス位置の対応関係が崩れてしまい、その結果、磁気ディスク装置中のデータＨ（ｎ）≠光磁気ディスク中のデータＭ（ｎａ）である関係になった場合には、例えば、指示された番組とは異なる番組が磁気ディスク装置から再生されてしまうという問題があった。
【００１３】
さらに具体的な問題としては、例えば、ＭＯの格納位置データと磁気ディスク装置に格納された複写データのアドレス位置の対応関係が崩れた結果、子供向け番組が再生されている途中に、突然に、子供向け番組とは何も関係の無い大人向け番組の性的シーンや暴力シーンが再生される場合がありえるという問題があった。
【００１４】
本発明は上記のような問題点を解消するためになされたものであって、使用者に指示された番組と再生内容が異なる場合には、再生を中止するオーディオ・ビジュアル情報再生装置及び再生方法を提供することを目的とする。
【課題を解決するための手段】
【００１５】
本発明のオーディオ・ビジュアル情報再生装置は、
長時間のオーディオ・ビジュアル情報を予め複数の記憶媒体に分割して格納し、該記憶媒体を交換することにより前記オーディオ・ビジュアル情報を長時間再生する大容量記憶装置と、
前記複数の各記憶媒体に格納された前記オーディオ・ビジュアル情報の各開始部分を予め複写して格納する固定式の記憶装置と、
前記固定式の記憶装置から再生される前記オーディオ・ビジュアル情報の開始部分に前記大容量記憶装置から再生される前記オーディオ・ビジュアル情報の残り部分を連続させることにより一連のオーディオ・ビジュアル情報として記憶するバッファメモリからなる一時記憶装置と、
前記オーディオ・ビジュアル情報の番組名を含むデータベースを記憶する記憶部を有し、前記各装置の動作を制御することにより再生指示された前記長時間のオーディオ・ビジュアル情報信号を間断無く再生する制御装置と、
前記データデータベース内の少なくとも１個の番組名を入力することにより該番組の再生指示を発生させると共に、前記一連のオーディオ・ビジュアル情報を画像出力する入出力端末装置と
を備えるオーディオ・ビジュアル情報再生装置において、
前記固定式の記憶装置には、前記複数の各記憶媒体に格納されている前記オーディオ・ビジュアル情報の各開始部分と共に該オーディオ・ビジュアル情報の番組名を含む管理情報が予め複写して格納されており、
前記制御装置は、前記固定式の記憶装置から再生された前記オーディオ・ビジュアル情報の開始部分の管理情報の番組名と、前記データベース内の前記再生指示されたオーディオ・ビジュアル情報の番組名とを照合し、一致しない場合に前記一連のオーディオ・ビジュアル情報の再生を中止する
ことを特徴とする。
【発明の効果】
【００１６】
本発明によれば、使用者が意図していない番組を視聴させられることを無くすことができる。
【図面の簡単な説明】
【００１７】
【図１】本発明の実施の形態１のオーディオ・ビジュアル情報再生装置の構成を示すブロック図である。
【図２】図１の光ＭＳＳの内部構成を示すブロック図である。
【図３】図２の各光磁気ディスク装置に各々格納される情報内容、および、その各光磁気ディスク装置に対応させて図１の磁気ディスク装置に格納される情報内容を示す図である。
【図４】図１の制御装置の構成を示すブロック図である。
【図５】図１の磁気ディスク装置および光ＭＳＳから、バッファメモリおよび制御装置へのデータの移動状況を示す図である。
【図６】（ａ）〜（ｇ）は図１のオーディオ・ビジュアル情報再生装置の制御部で管理情報の内容を照合する際のタイミングチャートである。
【図７】図６に示した本実施の形態１における光磁気ディスク装置の交換処理と照合処理を各番組毎に実施される汎用の動作として示すフローチャートである。
【図８】図６に示した本実施の形態２における光磁気ディスク装置の交換処理と照合処理を各番組毎に実施される汎用の動作として示すフローチャートである。
【図９】従来のオーディオ・ビジュアル情報再生装置の記憶媒体交換時における再生動作を示すフローチャートである。
【発明を実施するための形態】
【００１８】
以下、本発明にかかわるオーディオ・ビジュアル（ＡＶ）情報再生装置及び再生方法を、その実施の一形態を示す図面に基づき具体的に説明する。なお、各図において、同一の機能を有するものには同一符号を付して示している。
【００１９】
実施の形態１．
図１は本発明の実施の形態１のオーディオ・ビジュアル情報再生装置の構成を示すブロック図である。
【００２０】
図１のオーディオ・ビジュアル情報再生装置１において、２は固定式の磁気ディスクによりオーディオ・ビジュアル情報の後述する各ＭＯへの格納内容の開始部分を格納する磁気ディスク装置である。３は複数のＭＯに分割して長時間のオーディオ・ビジュアル情報を全て格納する光ＭＳＳである。４は複数の入力と複数の出力の経路を自在に変更できる電子スイッチである。５、（５ａ、５ｂ、５ｎ）は磁気ディスク装置から再生された情報とＭＳＳから再生された内容を順に一時記憶するバッファメモリである。６（６ａ、６ｂ、６ｎ）はバッファメモリに一時記憶されたオーディオ・ビジュアル情報（コード化されたデジタル情報）を順にデコードする映像情報デコーダ装置である。７（７ａ、７ｂ、７ｎ）は使用者が番組を指示（リクエスト）する入力ができ、リクエストした番組のオーディオ・ビジュアル情報出力を視聴できる端末装置である。８（８ａ、８ｂ、８ｎ）はオーディオ・ビジュアル情報再生装置の使用者である。１０は上述した各装置を制御して使用者にリクエスト（指示）された番組を再生させるマイクロプロセッサ等からなる制御装置である。
【００２１】
また、ＭＳＳ３の中には、ＭＯ格納庫３１と、ドライブ部３２とアーム制御部３３とを有しており、それらについては、次の図２を用いて説明する。
【００２２】
図２は、図１の光ＭＳＳ３の内部構成を示すブロック図である。
【００２３】
光ＭＳＳ３中のＭＯ格納庫３１には、例えば、８０枚の記録／再生可能な光磁気（マグネトオプティカル：ＭＯ）ディスクＭＯ１〜ＭＯ８０が１枚づつ棚Ｔ１〜Ｔ８０に収容されている。光磁気ディスクの記憶容量を６４０ＭＢの片面記録として１００分の長時間番組を記録する場合には、３ＭｂｐｓのＭＰＥＧ２方式で圧縮しても４枚程度が必要になる。そこで、本実施形態では、番組ＡＢＣにＭＯ１〜ＭＯ４の４枚の光磁気ディスクを割り付けることとする。
【００２４】
また、ＭＯ格納庫３１内の各光磁気ディスクが収容される棚について、ディスクＭＯ１の棚番号をＴ１、ＭＯ２の棚番号をＴ２、ＭＯ３の棚番号をＴ３、ＭＯ４の棚番号をＴ４と順に収容場所を設定していく。上記と同様に、番組ＤＥＦをＭＯ５〜ＭＯ８に記録して棚Ｔ５〜Ｔ８に収容し、番組ＧＨＩをＭＯ９〜ＭＯ１２に記録して棚Ｔ９〜Ｔ１２に収容していき、最後に番組ＸＹＺをＭＯ７７〜ＭＯ８０に記録して棚Ｔ７７〜Ｔ８０に収容する。
【００２５】
ドライブ部３２には、６４０ＭＢの片面記録の光磁気ディスクＭＯ１〜ＭＯ８０を記録及び再生可能なヘッド等を備えるドライブ装置であるドライブ１〜１６が備えられており、各ドライブ１〜１６からは個別にオーディオ・ビジュアル情報を出力できるため、同時に１６番組が再生可能になっている。
【００２６】
アーム制御部３３には、使用者８からのリクエストにより再生しようとする光磁気ディスクの棚に移動して必要とされる光磁気ディスクを棚から取り出し、その光磁気ディスクを空いているドライブ装置まで移送して装着するアーム３３ａが備えられている。また、アーム３３ａは、上記とは逆に、再生が終了した光磁気ディスクをドライブ装置から取り出して、ＭＯ格納庫３１内の元の棚に戻す処理も実行する。
【００２７】
図３は、図２の各光磁気ディスク装置ＭＯ１〜ＭＯ８０に各々格納される情報内容、および、その各光磁気ディスク装置ＭＯ１〜ＭＯ８０に対応させて図１の磁気ディスク装置２に格納される情報内容を示す図である。
【００２８】
各光磁気ディスク装置ＭＯ１〜ＭＯ８０には、番組の内容であるオーディオ・ビジュアル情報データＭ（ｎ）：（ｎは正の整数）とは別に、その情報データの番組名称や、その番組を記録するために何枚の光磁気ディスクを使用してこの光磁気ディスクはその何番目であるかや、光磁気ディスク中の何れのアドレスからオーディオ・ビジュアル情報データが始まるか等の管理情報Ｉ（ｎ）が格納されている。また、オーディオ・ビジュアル情報データＭ（ｎ）中で、磁気ディスク装置にも複写されて格納される内容がデータＭ（ｎａ）であり、その残り部分がデータＭ（ｎｂ）である。
【００２９】
磁気ディスク装置２中には、予め、光磁気ディスク中からデータＭ（ｎａ）が転写されてデータＨ（ｎ）として格納されると共に、光磁気ディスク中から管理情報Ｉ（ｎ）が転写されて管理情報Ｉ（ｎ）’として格納される。従来のオーディオ・ビジュアル情報再生装置では、磁気ディスク装置２の格納内容が光磁気ディスクの格納内容と一致しない事態は全く想定していないため、この管理情報Ｉ（ｎ）については光ＭＳＳ３中の各光磁気ディスクＭＯ１〜ＭＯ８０の管理に用いられるのみで、磁気ディスク装置２中には転写されていなかった。
【００３０】
図４は、図１の制御装置１０の構成を示すブロック図である。
【００３１】
制御装置１０は、中央演算装置（ＣＰＵ）等からなる演算部１２と、随時書き込み／読み出し可能メモリ（ＲＡＭ）等からなる記憶部１３とから構成され、記憶部１３内には、各番組名に対応させて磁気ディスク装置２中のアドレスとＭＯ格納庫３１の棚番号が予め格納されるデータベース２１と、光ＭＳＳ３中の再生する光磁気ディスクから出力される管理情報Ｉ（ｎ）を記憶する光ＭＳＳ用管理情報記憶部２２と、磁気ディスク装置２から出力される管理情報Ｉ（ｎ）’を記憶する磁気ディスク装置用管理情報記憶部２３とを有している。
【００３２】
データベース２１中には、例えば、番組名ＡＢＣに対応させて磁気ディスク装置２中のアドレスＡ１〜Ａ４、及び、ＭＯ格納庫３１中の棚番号Ｔ１〜Ｔ４が格納され、同様にして、番組名ＤＥＦに対応させて磁気ディスク装置２中のアドレスＡ５〜Ａ８、及び、ＭＯ格納庫３１中の棚番号Ｔ５〜Ｔ８が格納され、番組名ＧＨＩに対応させて磁気ディスク装置２中のアドレスＡ９〜Ａ１２、及び、ＭＯ格納庫３１中の棚番号Ｔ９〜Ｔ１２が格納されるというようにして、最後の番組名ＸＹＺに対応させて磁気ディスク装置２中のアドレスＡｎ−３〜Ａｎ（但し、ｎは正の整数）、及び、ＭＯ格納庫３１中の棚番号Ｔｎ−３〜Ｔｎが格納される。
【００３３】
演算部１２では、使用者８からのリクエスト内容（番組名）に基づきデータベース２１の格納内容を参照して磁気ディスク装置２および光ＭＳＳ３等の各装置を制御すると共に、光ＭＳＳ用管理情報記憶部２２に記憶された管理情報の内容（番組名、何枚組みの何番目等）と、磁気ディスク装置用管理情報記憶部２３に記憶された管理情報の内容（番組名、何枚組みの何番目等）とを照合し、異なっている場合にはそのリクエストされた番組についての再生処理を中止する。
【００３４】
図５は、図１の磁気ディスク装置２および光ＭＳＳ３から、バッファメモリ５および制御装置１０へのデータの移動状況を示す図である。
【００３５】
使用者からのリクエストが制御装置１０に入力されると、磁気ディスク装置２からは、管理情報Ｉ（ｎ）’が制御装置１０内の磁気ディスク装置用管理情報記憶部２３に転送され、光磁気ディスクのデータＭ（ｎａ）に対応するデータＨ（ｎ）がバッファメモリ５に転送される。また、それと共に、光ＭＳＳでは、アーム制御部３３を用いてリクエストに基づく光磁気ディスクの変更処理が実施され、光磁気ディスクの変更後、光ＭＳＳからは、その光磁気ディスクに格納されている管理情報Ｉ（ｎ）が制御装置１０内の光ＭＳＳ用管理情報記憶部２２に転送され、光磁気ディスクのデータＭ（ｎｂ）がバッファメモリ５に転送される。
【００３６】
具体的には、使用者８から番組ＡＢＣがリクエストされた場合、磁気ディスク装置２からは、管理情報Ｉ（１）’が磁気ディスク装置用管理情報記憶部２３に転送され、データＨ（１）がバッファメモリ５ａに転送される。また、それと共に、光ＭＳＳでは、アーム制御部３３を用いてリクエストに基づく光磁気ディスクの変更処理が実施され、光磁気ディスクが棚Ｔ１の光磁気ディスク装置ＭＯ１に変更された後、光ＭＳＳからは、その光磁気ディスク装置ＭＯ１に格納されている管理情報Ｉ（１）が制御装置１０内の光ＭＳＳ用管理情報記憶部２２に転送され、光磁気ディスクのデータＭ（１ｂ）がバッファメモリ５に転送される。
【００３７】
その後、制御部１０では、管理情報Ｉ（１）’の内容と管理情報Ｉ（１）の内容との照合を実施してその後の再生動作を中止するか否かを決定する。また、バッファメモリ５ａには、データＨ（１）に続けて、データＭ（１ｂ）がデータＨ（１）の再生が終了する前に記憶され、その後もデータＨ（２）、データＭ（２ｂ）・・・という順に前のデータの再生が終了する前に記憶されるので、リクエストされた番組を間断無く再生することができる。
【００３８】
図６は、図１のオーディオ・ビジュアル情報再生装置１の制御部１０で管理情報Ｉ（ｎ）’の内容と管理情報Ｉ（ｎ）の内容とを照合する際のタイミングチャートである。
【００３９】
なお、本タイミングチャートでは、光ＭＳＳ３のドライブ部３２内のドライブ２で番組ＤＥＦ用の光磁気ディスク装置ＭＯ５〜ＭＯ８の再生を実施中であり、同ドライブ部３２内のドライブ１で番組ＡＢＣ用の光磁気ディスク装置ＭＯ１〜ＭＯ４の再生を新規に実施する場合とする。
【００４０】
図６（ａ）のタイミングで、例えば、端末装置７ａの使用者８ａが番組名ＡＢＣを視聴したい旨の指示（リクエスト）を端末装置７ａに入力すると、そのリクエストは制御装置１０に送信される。制御装置１０では、リクエストされた番組名ＡＢＣからデータベース２１を参照して磁気ディスク装置２中の対応するアドレスＡ１〜Ａ４と、ＭＯ格納庫３１の棚番号Ｔ１〜Ｔ４が選択されて順次読み出されることになる。
【００４１】
具体的には、以下の各タイミングに従って動作する。図６（ａ）のタイミングに番組ＡＢＣのリクエストが入力すると、図６（ｂ）に示したように光ＭＳＳ３では、光ＭＳＳ３内のアーム制御部３３によりＭＯ保管庫３１の棚Ｔ１に保管されていた光磁気ディスク装置ＭＯ１がドライブ部３２のドライブ１に装着される。
【００４２】
一方、図６（ｃ）に示したように磁気ディスク装置２では、使用者８ａのリクエストに基づいて、アドレスＡ１に格納されたデータＨ（１）が読み出されてバッファメモリ５ａに入力され、映像デコーダ装置６ａによりデコードされて端末装置７ａに画像データと音声データが再生出力される。
【００４３】
なお、この時点では、図６（ｅ）に示したドライブ２では、使用者８ｂのリクエストに基づいて、光磁気ディスク装置ＭＯ６のデータＭ（６ｂ）が再生されて、バッファメモリ５ｂに入力され、映像デコーダ装置６ｂによりデコードされて端末装置７ｂに画像データと音声データが再生出力されている。
【００４４】
次に、図６（ｂ）の光磁気ディスク装置ＭＯ１がドライブ部３２のドライブ１に装着終了されたタイミングでは、図６（ｆ）に示したように磁気ディスク装置から入力した管理情報Ｉ（１）’と、光磁気ディスク装置ＭＯ１から入力した管理情報Ｉ（１）との照合処理が実施される。なお、図６では、光磁気ディスク装置ＭＯ１がドライブ部３２のドライブ１に装着終了されたタイミングとしているが、この照合処理は、光磁気ディスク装置ＭＯ１から管理情報Ｉ（１）が入力した後すぐに実施するようにしても良い。
【００４５】
その後、図６（ｃ）のデータＨ（１）の読み出し〜再生が終了すると、図６（ｄ）に示したようにドライブ１から読み出された光磁気ディスク装置ＭＯ１のデータＭ（１ｂ）の読み出し〜再生が実施される。
【００４６】
一方、データＭ（１ｂ）の読み出し中に、ドライブ２の方では、データＭ（６ｂ）の再生が終了するので、制御装置１０の制御により、光ＭＳＳ３内のアーム制御部３３により、ドライブ２から光磁気ディスク装置ＭＯ６が取り出されて、代わりに、ＭＯ保管庫３１の棚Ｔ７に保管されていた光磁気ディスク装置ＭＯ７がドライブ２に装着される。
【００４７】
上記光磁気ディスク装置ＭＯ７の装着と共に、図６（ｃ）に示したように磁気ディスク装置２では、アドレスＡ７に格納されたデータＨ（７）が読み出されてバッファメモリ５ｂに入力され、映像デコーダ装置６ｂによりデコードされて端末装置７ｂに画像データと音声データが再生出力される。
【００４８】
次に、図６（ｂ）の光磁気ディスク装置ＭＯ７がドライブ部３２のドライブ２に装着終了されたタイミングでは、図６（ｆ）に示したように磁気ディスク装置から入力した管理情報Ｉ（７）’と、光磁気ディスク装置ＭＯ７から入力した管理情報Ｉ（７）との照合処理が実施される。
【００４９】
その後、図６（ｃ）のデータＨ（７）の読み出し〜再生が終了すると、図６（ｅ）に示したようにドライブ２から読み出された光磁気ディスク装置ＭＯ７のデータＭ（７ｂ）の読み出し〜再生が実施される。
【００５０】
また、データＭ（７ｂ）の読み出し中に、ドライブ１の方では、データＭ（１ｂ）の再生が終了するので、制御装置１０の制御により、光ＭＳＳ３内のアーム制御部３３により、ドライブ１から光磁気ディスク装置ＭＯ１が取り出されて、代わりに、ＭＯ保管庫３１の棚Ｔ２に保管されていた光磁気ディスク装置ＭＯ２がドライブ１に装着される。
【００５１】
上記光磁気ディスク装置ＭＯ２の装着と共に、図６（ｃ）に示したように磁気ディスク装置２では、アドレスＡ２に格納されたデータＨ（２）が読み出されてバッファメモリ５ａに入力され、映像デコーダ装置６ａによりデコードされて端末装置７ａに画像データと音声データが再生出力される。
【００５２】
次に、図６（ｂ）の光磁気ディスク装置ＭＯ２がドライブ部３２のドライブ１に装着終了されたタイミングでは、図６（ｆ）に示したように磁気ディスク装置から入力した管理情報Ｉ（２）’と、光磁気ディスク装置ＭＯ２から入力した管理情報Ｉ（２）との照合処理が実施される。
【００５３】
その後、図６（ｃ）のデータＨ（２）の読み出し〜再生が終了すると、図６（ｄ）に示したようにドライブ１から読み出された光磁気ディスク装置ＭＯ２のデータＭ（２ｂ）の読み出し〜再生が実施される。
【００５４】
なお、図６（ｇ）については、本実施の形態１では用いず、後述する実施の形態２にて用いることとする。
【００５５】
図７は、図６に示した本実施の形態１における光磁気ディスク装置の交換処理と照合処理を各番組毎に実施される汎用の動作として示すフローチャートである。
【００５６】
なお、図７には示していないが、固定式の記憶装置である磁気ディスク装置２には、複数の各記憶媒体に格納されているオーディオ・ビジュアル情報の各開始部分Ｈ（ｎ）と共にオーディオ・ビジュアル情報に関する管理情報Ｉ（ｎ）も予め複写されて格納されていることとする。
【００５７】
番組のリクエスト又は制御装置１０内のデータベース２１の記憶内容に基づいて、制御部１０は、光ＭＳＳ３内のアーム制御部３３を駆動させて光磁気ディスク装置ＭＯｎの交換を開始する（ステップＳ１）。それと共に、制御部１０は、データベース２１の記憶内容に基づいて、磁気ディスク装置２のアドレスＡｎに格納されていたデータＨ（ｎ）を再生する（ステップＳ２）。
【００５８】
データＨ（ｎ）の再生中に光磁気ディスク装置ＭＯｎの交換が完了すると（ステップＳ３）、磁気ディスク装置のアドレスＡｎに格納されていた管理情報Ｉ（ｎ）’と、光磁気ディスク装置ＭＯｎに格納されていた管理情報Ｉ（ｎ）とが一致するか制御装置１０の演算部１２で照合される（ステップＳ４）。管理情報Ｉ（ｎ）’と管理情報Ｉ（ｎ）とが一致する場合（ステップＳ４：ＹＥＳ）には、光磁気ディスク装置ＭＯｎは使用者８のリクエストに従った正しい光磁気ディスク装置であると判断して、光磁気ディスク装置ＭＯｎからデータＭ（ｎｂ）を読み出して再生し、再生後に処理を終了する（ステップＳ５）。
【００５９】
一方、管理情報Ｉ（ｎ）’と管理情報Ｉ（ｎ）とが一致しない場合（ステップＳ４：ＮＯ）には、光磁気ディスク装置ＭＯｎは使用者８のリクエストに従わない誤った光磁気ディスク装置、あるいは、磁気ディスク装置２のアドレスＡｎに格納されていたデータＨ（ｎ）が誤ったデータであると判断して、光磁気ディスク装置ＭＯｎからのデータＭ（ｎｂ）の読み出しを中止してエラー処理を出力し、処理を終了する（ステップＳ６）。
【００６０】
上記のように本実施の形態１のオーディオ・ビジュアル情報再生装置および再生方法では、磁気ディスク装置に記憶された管理情報と光磁気ディスク装置に格納された管理情報との一致を照合できるので、使用者に指示（リクエスト）された番組と再生内容が異なる場合を検出することができる。そのため、再生内容がリクエストと異なる場合には、リクエストされたオーディオ・ビジュアル情報データの再生を途中で中止させることができ、使用者が意図していない番組を視聴させられることが少なくなる。
【００６１】
実施の形態２．
上記した実施の形態1のオーディオ・ビジュアル情報再生装置および再生方法では、磁気ディスク装置２に格納された管理情報Ｉ（ｎ）’と、各光磁気ディスク装置ＭＯｎに格納された管理情報Ｉ（ｎ）とを照合することにより、磁気ディスク装置２に格納されたデータＨ（ｎ）と、各光磁気ディスク装置ＭＯｎに格納されたデータＭ（ｎｂ）とが、連続する同じ番組のデータであることを確認していた。
【００６２】
そのため、データＭ（ｎｂ）が誤って格納されたデータである場合には、その再生処理の最初から中止させることができるが、磁気ディスク装置２に格納されたデータＨ（ｎ）が誤ったデータである場合には、アーム制御部３３により光磁気ディスク装置ＭＯｎが光ＭＳＳ３内のドライブ部３２の何れかのドライブ装置に装着されるまでは、管理情報Ｉ（ｎ）が読み出せなかった。
【００６３】
例えば、磁気ディスク装置２に格納されたデータＨ（ｎ）が誤って予め格納されたデータである場合には、データＨ（ｎ）に対応する光磁気ディスク装置ＭＯｎが何れかのドライブ装置に装着されるまでの間は、データＨ（ｎ）が再生されてしまうことになる。
【００６４】
さらに具体的には、もし、再生される光磁気ディスク装置ＭＯｎに格納されたデータＭ（ｎｂ）が子供向け番組であり、データＨ（ｎ）が上記したように子供向け番組とは何も関係の無い大人向け番組の性的シーンや暴力シーンである場合、光磁気ディスク装置ＭＯｎが何れかのドライブ装置に装着されるまでの間は好ましくないシーンが含まれるデータＨ（ｎ）が再生されてしまうことになる。
【００６５】
そこで、以下に説明する実施の形態２のオーディオ・ビジュアル情報再生装置および再生方法では、使用者にリクエストされた番組名と磁気ディスク装置２に格納された管理情報Ｉ（ｎ）’とを照合することにより、磁気ディスク装置２に格納されたデータＨ（ｎ）がリクエストされた番組名と一致することを確認することにより、データＨ（ｎ）と後で再生される光磁気ディスク装置ＭＯｎに格納されたデータＭ（ｎｂ）とが、連続する同じ番組のデータであることを確認できるようにした。
【００６６】
本実施の形態２が実施の形態1と主に相違する点としては、実施の形態1では、制御装置１０の記憶部１３内に記憶される光ＭＳＳ用管理情報記憶部２２内の管理情報Ｉ（ｎ）と、磁気ディスク装置用管理情報記憶部２３内に記憶される管理情報Ｉ（ｎ）’とを用いて照合処理を行っていたが、本実施の形態２では、例えば、磁気ディスク装置用管理情報記憶部２３内に記憶される管理情報Ｉ（ｎ）’内の番組名と、データベース２１内の番組名とを用いて照合処理を実施する点である。
【００６７】
上記した本実施の形態２の照合処理のタイミングを示すのが、図６（ｇ）のタイミングである。
【００６８】
図６（ｇ）に示したように、本実施の形態２によれば、例えば、番組ＡＢＣのリクエストを受け付けるとほぼ同時にリクエストされた番組名と磁気ディスク装置用管理情報記憶部２３内に記憶される管理情報Ｉ（ｎ）’とを用いて照合処理を行う。
【００６９】
図８は、図６に示した本実施の形態２における光磁気ディスク装置の交換処理と照合処理を各番組毎に実施される汎用の動作として示すフローチャートである。
【００７０】
なお、図８には示していないが、固定式の記憶装置である磁気ディスク装置２には、複数の各記憶媒体に格納されているオーディオ・ビジュアル情報の各開始部分Ｈ（ｎ）と共にオーディオ・ビジュアル情報に関する管理情報Ｉ（ｎ）も予め複写されて格納されていることとする。
【００７１】
番組のリクエスト又は制御装置１０内のデータベース２１の記憶内容に基づいて、制御部１０は、光ＭＳＳ３内のアーム制御部３３を駆動させて光磁気ディスク装置ＭＯｎの交換を開始する（ステップＳ１１）。
【００７２】
光磁気ディスク装置ＭＯｎの交換開始と共に、制御部１０は、磁気ディスク装置のアドレスＡｎに格納されていた管理情報Ｉ（ｎ）’中の番組名と、制御装置１０のデータベース１３に格納されている番組名とが一致するか制御装置１０の演算部１２で照合する（ステップＳ１２）。
【００７３】
管理情報Ｉ（ｎ）’中の番組名とデータベース２１中の番組名とが一致する場合（ステップＳ１２：ＹＥＳ）には、磁気ディスク装置２のアドレスＡｎに格納されていたデータＨ（ｎ）は使用者８のリクエストに従った正しいデータであると判断して、制御部１０は、データベース２１の記憶内容に基づいて、磁気ディスク装置２のアドレスＡｎに格納されていたデータＨ（ｎ）を再生する（ステップＳ１３）。データＨ（ｎ）の再生中に光磁気ディスク装置ＭＯｎの交換が完了したら（ステップＳ１４）、光磁気ディスク装置ＭＯｎからデータＭ（ｎｂ）を読み出して再生し、再生後に処理を終了する（ステップＳ１５）。
【００７４】
一方、管理情報Ｉ（ｎ）’の番組名とデータベース２１中の番組名とが一致しない場合（ステップＳ１２：ＮＯ）には、データＨ（ｎ）は使用者８のリクエストに従わない誤ったデータ、あるいは、データＨ（ｎ）に続く棚Ｔｎに収容された光磁気ディスク装置ＭＯｎからのデータＭ（ｎｂ）が誤ったデータと判断し、データＨ（ｎ）の読み出しを中止してエラー処理を出力し、ディスク交換処理を完了（終了）させる（ステップＳ１６）。
【００７５】
上記のように本実施の形態２のオーディオ・ビジュアル情報再生装置および再生方法では、磁気ディスク装置に記憶された管理情報とリクエストに含まれる管理情報との一致を照合できるので、使用者に指示（リクエスト）された番組と再生内容が異なる場合を実施の形態１よりもすばやく検出することができる。そのため、再生内容がリクエストと異なる場合には、リクエストされたオーディオ・ビジュアル情報データの再生をほとんど行わせること無く中止させ、使用者が意図していない番組を視聴させられることがほとんどなくなる。
【００７６】
なお、上記した各実施の形態においては、片面に記録する光磁気ディスクを交換するオーディオ・ビジュアル情報再生装置および再生方法の例について説明したが、本発明は必ずしもこれに限られることはなく、両面の光磁気ディスクの反転操作においても同様に実現可能である。また、記録媒体としても光磁気ディスクに限ったものでなく、ＤＶＤ等の他の記録媒体でも同様に実現可能である。
【００７７】
また、上記各実施の形態では、各光磁気ディスクの開始部分のオーディオ・ビジュアル情報について、ハードディスクドライブ装置（ＨＤＤ）等の磁気ディスク装置に複写して記憶する場合について説明したが、開始部分のオーディオ・ビジュアル情報を複写して記憶する記憶媒体としては磁気ディスク装置に限ったものではなく、半導体メモリ等の他の固定式の記憶媒体でも同様に実現可能である。
【符号の説明】
【００７８】
１  オーディオ・ビジュアル（ＡＶ）情報再生装置、  ２  磁気ディスク装置、  ３  光ＭＳＳ、  ４  電子スイッチ、  ５、５ａ、５ｂ、５ｎ  バッファメモリ、  ６、６ａ、６ｂ、６ｎ  映像デコーダ装置、  ７、７ａ、７ｂ、７ｎ  端末装置、  ８、８ａ、８ｂ、８ｎ  使用者、  １０  制御装置、  １２  演算部、  １３  記憶部、  ２１  データベース、  ２２  光ＭＳＳ用管理情報記憶部、  ２３  磁気ディスク装置用管理情報記憶部、  ３１  ＭＯ格納庫、  ３２  ドライブ部、  ３３  アーム制御部。
【図１】
2010061783.tif 000003
【図２】
2010061783.tif 000004
【図３】
2010061783.tif 000005
【図４】
2010061783.tif 000006
【図５】
2010061783.tif 000007
【図６】
2010061783.tif 000008
【図７】
2010061783.tif 000009
【図８】
2010061783.tif 000010
【図９】
2010061783.tif 000011